(57)【要約】【課題】把持部の強度アップ、把持部の信頼性の向上を図ると同時に、コストダウンを図ることができるポータブルタイプのオーディオ装置を提供すること。【解決手段】キャビネット１を、側面視、上方に向かって漸次幅狭となる傾斜状（略三角形状）に形成し、そのキャビネット１の下部に、音楽コンテンツを再生させる再生部（スピーカー、基板等を有してなる）を内装し、キャビネット１前後面を貫くように上部を開口してキャビネット１の下部と一体成形した把持部１ｃを形成する。【選択図】図３
2007304476.tif 000002
【特許請求の範囲】
【請求項１】
コンテンツを再生させる再生部がキャビネットに内装されたオーディオ装置であって、
前記キャビネットは、その下部に前記再生部を内装させると共に、キャビネット前後面を貫くように上部が開口され前記下部と一体成形された把持部を備えたことを特徴とするオーディオ装置。
【請求項２】
前記キャビネット前後面は、側面視、上方に向かって漸次幅狭となる傾斜状に形成されていることを特徴とする請求項１記載のオーディオ装置。
【請求項３】
前記再生部を操作させる操作部が、前記把持部を形成させる開口部の下側上面または／および下側上面近傍に配設されていることを特徴とする請求項１または２記載のオーディオ装置。
【請求項４】
片手で把持可能な把持部を、コンテンツを再生する再生部を内装するキャビネットに一体成形したことを特徴とするオーディオ装置における把持部形成方法。
【発明の詳細な説明】
【技術分野】
【０００１】
本発明は、持ち運び可能なポータブルタイプのオーディオ装置及びそのオーディオ装置における把持部形成方法に関する。
【背景技術】
【０００２】
従来、ＣＤラジカセのような持ち運び可能なポータブルタイプのオーディオ装置は、コンテンツを再生させる再生部を内装するキャビネットと、そのキャビネットに枢着された別部材のハンドルからなる把持部とを備えているのが一般的である（例えば特許文献１参照）。
【０００３】
なお、他の例として、キャビネットの両側面に凹部を設けて把持部としたポータブルタイプのオーディオ装置もあるが、このタイプは、ある程度重量のある大型のポータブルタイプのオーディオ装置には有効ではあるものの、両手を使って持ち運ぶ構成であるため、小型タイプのポータブルタイプのオーディオ装置には返って利便性に欠け、採用されていない。
【０００４】
【特許文献１】特開平６−２１５５４７公報（第１頁、図１）
【発明の開示】
【発明が解決しようとする課題】
【０００５】
しかしながら、上記した従来のオーディオ装置は、下記の問題点を有する。
すなわち、前者のオーディオ装置における把持部は、キャビネットとは別部材構成であるため、夫々別途に製造して組み付ける手間が必要であることから、コストダウンに限界が生じていた。
【０００６】
また、キャビネットとハンドルとの枢着部分は、ピンやボスを用いたのが一般的であることから、その使用態様によっては、枢着部分の損傷も考えられ、把持部の強度アップと信頼性の向上を図る必要があった。
【０００７】
そこで本発明は、このような状況に鑑みてなされたものであり、上記問題点を解決できるオーディオ装置及びオーディオ装置における把持部形成方法を提供することを目的とする。
【課題を解決するための手段】
【０００８】
上記技術課題を達成するために、本発明にかかるオーディオ装置及びオーディオ装置における把持部形成方法は、下記の技術的手段を講じた。
すなわち、本発明にかかるオーディオ装置は、コンテンツを再生させる再生部がキャビネットに内装されたオーディオ装置であって、前記キャビネットは、その下部に前記再生部を内装させると共に、キャビネット前後面を貫くように上部が開口され前記下部と一体成形された把持部を備えたことを特徴とする。
また、本発明にかかるオーディオ装置は、前記発明において、前記キャビネット前後面は、側面視、上方に向かって漸次幅狭となる傾斜状に形成されていることを特徴とする。
また、本発明にかかるオーディオ装置は、前記発明において、前記再生部を操作させる操作部が、前記把持部を形成させる開口部の下側上面または／および下側上面近傍に配設されていることを特徴とする。
また、本発明にかかるオーディオ装置における把持部形成方法は、片手で把持可能な把持部を、コンテンツを再生する再生部を内装するキャビネットに一体成形したことを特徴とする。
【発明の効果】
【０００９】
本発明によれば、キャビネット前後面を貫くように開口した把持部をキャビネットと一体成形して、夫々別途に製造して組み付ける手間が必要ないから、コストダウンを図ることができる。
また、把持部をキャビネットと一体成形したから、把持部の強度アップと信頼性の向上を図ることができる。
【発明を実施するための最良の形態】
【００１０】
次に本発明を実施するための最良の形態を、図面を参照して具体的に説明する。
本実施の形態にかかるオーディオ装置は、再生部と、キャビネット１と、操作部２とを備えてなる。
【００１１】
再生部は、ラジオチューナーと、音楽データが記録されるメモリーと、該メモリーに記録された音楽データやラジオチューナーからの信号に基づいて音声信号を出力させる回路部と、その音声信号を音声に変換させるスピーカー等を有してなり、後述するキャビネット１の内部に実装されている。なお、この再生部は、本発明における要部ではないため、図示を省略する。
【００１２】
キャビネット１は、図１〜図５に示すように、前側キャビネット１１と、その前側キャビネット１１と嵌合及び螺合される後側キャビネット１２とで構成されており、その外観形状が、正面視略長尺の楕円状に形成されると共に、側面視、上方に向かって漸次幅狭となる傾斜状（略三角形状）に形成され、さらに、平面視、各辺に丸みを持たせた略矩形状に形成されている。
【００１３】
この前側キャビネット１１と後側キャビネット１２は、図５に示すように、キャビネット１の奥行き方向の中間部で嵌合及び螺合（後側キャビネット１２側からビスを挿入して前側キャビネット１１を螺合する）されるように形設されている。なお、後側キャビネット１２は一部材で構成されているが、スピーカーが配設される前側キャビネット１１は、スピーカーが外観視剥き出しにならないように、前面に複数の孔を設けたパネル１３が嵌合されている。
【００１４】
また、この前側キャビネット１１と後側キャビネット１２は、キャビネット１前後面を貫くように、前側キャビネット１１と後側キャビネット１２夫々の上部が開口され、その開口部１ａの内側には、前側キャビネット１１前面と連続する内壁面１１ａ及び後側キャビネット１２後面と連続する内壁面１２ａが夫々形成されており、キャビネット１内部に粉塵等が混入しないように、その両者の内壁面１１ａ・１２ａ同士を衝合させている。
【００１５】
このように形成された開口部１ａは、当該オーディオ装置を持ち運ぶ際に、片手（当然のことながら両手でも良い）を入れるためのものであり、この開口部１ａとこの開口部１ａ上方に形成されたアーチ部１ｂとで把持部１ｃが形成される。
【００１６】
また、開口部１ａより下方のキャビネット１下部内には所要の閉鎖空間が形成されており、上記した再生部が内装されている。なお、この閉鎖空間は左右に画成されるスピーカー室とその間に画成される回路室とからなる。
【００１７】
操作部２は、再生部に所望の動作を指示させ実行させるボタン２１群と操作状態等を報知させる液晶パネル２２とを備えて構成されており、図５に示すように、前側キャビネット１１の開口部１ａの下側内壁面１１ａ（上面）と、その下側内壁面１１ａの幅方向中央の下方近傍（傾斜面上部）に夫々設けた取付孔１１１に取り付けられている。なお、本実施の形態に係るオーディオ装置は、ＣＤやカセットテープ、ＭＤ等のメカニカルなドライブを有しない所謂メモリープレイヤーであり、この操作部２の他に、パーソナルコンピューター等とデータ通信（主に音楽データのダウンロードをするためのもの）させるためのＵＳＢ端子が後側キャビネット１２の下部に設けられている。
【００１８】
また、操作部２のレイアウトを詳述すると、前側キャビネット１１の開口部１ａの下側内壁面１１ａ（上面）には、略左右対称となるように各機能を割り付けたボタン２１が配設され、その中央には液晶パネル２２が配設され、その下側内壁面１１ａの幅方向中央の下方近傍（傾斜面上部）に設けた取付孔１１１には、様々な機能を割り付けたセンタプッシュ付き他方向操作ボタン２３が配設されている。
【００１９】
以上のように構成された本実施の形態にかかるオーディオ装置は、上記したように、キャビネット１の下部に再生部を内装し、キャビネット１前後面を貫くように上部を開口してキャビネット１の下部と一体成形した把持部１ｃを構成し、当該オーディオ装置を持ち運ぶ際に、この把持部１ｃを用いる。
【００２０】
このように、チューナー、メモリー、スピーカー、基板等を有する再生部と把持部１ｃを一体成形したキャビネット１にすることにより、コストダウン、操作性の向上及び把持部１ｃの強度アップと信頼性の向上を計ることができる。
【００２１】
また、キャビネット１の前後面に、側面視、上方に向かって漸次幅狭となる傾斜をつけることで小型化ができ、把持部１ｃを形成させる開口部１ａの下側内壁面１１ａ（上面）と、その下側内壁面１１ａの幅方向中央の下方近傍（傾斜面上部）に操作部２を設けることで、操作性、視認性の向上を計ることができ、また商品性を大きく左右する意匠性をも向上させることができる。
【００２２】
以上、具体的な実施の形態について説明したが、本発明は上記実施の形態に限定されず、発明の要旨を変更しない範囲で適宜変更して実施できることは言うまでもない。例えば、片手で把持可能な把持部を、コンテンツを再生する再生部を内装するキャビネットに一体成形する把持部形成方法でも良いものである。
【図面の簡単な説明】
【００２３】
【図１】本実施の形態にかかるオーディオ装置の正面図である。
【図２】本実施の形態にかかるオーディオ装置の側面図である。
【図３】本実施の形態にかかるオーディオ装置の平面図である。
【図４】本実施の形態にかかるオーディオ装置の斜視図である。
【図５】本実施の形態にかかるオーディオ装置を構成するキャビネットの分解斜視図である。
【符号の説明】
【００２４】
１  キャビネット
１ａ  開口部
１ｂ  アーチ部
１ｃ  把持部
１１  前側キャビネット
１１１  取付孔
１１ａ  内壁面（前側キャビネットの）
１２  後側キャビネット
１２ａ  内壁面（後側キャビネットの）
１３  パネル
２  操作部
２１  ボタン
２２  液晶パネル
２３  センタプッシュ付き他方向操作ボタン
【図１】
2007304476.tif 000003
【図２】
2007304476.tif 000004
【図３】
2007304476.tif 000005
【図４】
2007304476.tif 000006
【図５】
2007304476.tif 000007